(57)【特許請求の範囲】
【請求項１】
複数の放送番組を含むテレビジョン放送信号を入力して、放送番組に係る映像を表示装置に表示させる表示制御装置であって、
前記テレビジョン放送信号から放送番組に係る番組情報を抽出する番組情報抽出手段と、前記放送番組に係る映像の表示中における受信情報の表示要求に応答して表示状態を制御する制御手段とを備え、
前記制御手段は、映像を表示中の放送番組の番組情報に基いて決められた該放送番組の優先度と、前記受信情報の種別情報に基いて決められた該受信情報の優先度との差に基づいて、前記受信情報の表示状態を制御することを特徴とする表示制御装置。
【請求項２】
前記表示状態は、前記映像を表示中の放送番組の放送終了まで前記受信情報に係る映像の表示を禁止する表示状態を含むことを特徴とする請求項１記載の表示制御装置。
【請求項３】
前記表示状態は、表示中の放送番組の映像と前記受信情報に対応したアイコンとを多重して表示する表示状態を含むことを特徴とする請求項１記載の表示制御装置。
【請求項４】
前記受信情報の表示要求は、定時刻受信プログラム、スケジュール管理プログラム、電子メールプログラム、通信回線管理プログラムのうち少なくとも一つから出力されることを特徴とする請求項１記載の表示制御装置。
【請求項５】
複数の放送番組を含むテレビジョン放送信号を入力して、放送番組に係る映像を表示装置に表示させる表示制御方法であって、
前記テレビジョン放送信号から放送番組に係る番組情報を抽出するステップと、
前記放送番組に係る映像の表示中に受信情報の表示要求があった場合に、映像を表示中の放送番組の番組情報に基いて決められた該放送番組の優先度と、前記受信情報の種別情報に基いて決められた該受信情報の優先度との差に基づいて、前記受信情報の表示状態を制御するステップとを有することを特徴とする表示制御方法。
【発明の詳細な説明】
【０００１】
【発明の属する技術分野】
本発明は表示制御装置に関し、特には複数の情報表示制御に関する。
【０００２】
【従来の技術】
近年、大型ディスプレイ及びハイビジョン放送により高解像度の表示機が普及し、テレビジョン受信機においても１個のディスプレイに幾つかの映像（マルチウィンドウ）を表示する要求が高くなってきている。しかしながら、従来、これらのマルチウィンドウを表示させる場合、各々のウィンドウに表示する映像を視聴者が所望の映像を指定して表示させていた。例えば２画面表示であれば、まず２画面表示を行うことをユーザが設定し、２画面表示されたらその映像が所望の映像と異なる時は、所望の映像に変更するというように各々のウィンドウの映像をユーザが設定して視聴するものであった。
【０００３】
【発明が解決しようとする課題】
前述したように、放送映像をユーザが選択して視聴する場合は特に問題ないが、近年、この種のテレビ受信機に対して電子メールやスケジュール管理機能を持たせることが考えられている。この種の装置では、テレビ放送を視聴中、電子メールの受信などによって、マルチウィンドウ表示要求があったときに、現在視聴中の映像からどのタイミングでどの様に切り替えるかによってマルチウィンドウの利便性が大きく左右される。
【０００４】
例えば、映画番組を視聴中、クライマックスシーンで突然マルチウィンドウに切り換わり、電子メールウィンドウが表示されたりするとクライマックスシーンの表現力が台無しになってしまうものである。
【０００５】
従来のテレビ受信機では、この様なマルチウィンドウの制御については特に考慮されておらず、ユーザにとって快適なマルチウィンドウの制御がなされていない。
【０００６】
本発明は前述の如き問題を解決することを目的とする。
【０００７】
本発明の他の目的は、ユーザにとって快適な表示画面を提供する処にある。
【０００８】
【課題を解決するための手段】
前記の如き目的を達成するため、本発明の表示制御装置は、複数の放送番組を含むテレビジョン放送信号を入力して、放送番組に係る映像を表示装置に表示させる表示制御装置であって、
前記テレビジョン放送信号から放送番組に係る番組情報を抽出する番組情報抽出手段と、前記放送番組に係る映像の表示中における受信情報の表示要求に応答して表示状態を制御する制御手段とを備え、
前記制御手段は、映像を表示中の放送番組の番組情報に基いて決められた該放送番組の優先度と、前記受信情報の種別情報に基いて決められた該受信情報の優先度との差に基づいて、前記受信情報の表示状態を制御することを特徴とする。
【０００９】
【発明の実施の形態】
以下、本発明の実施形態について説明する。
【００１０】
（第１の実施形態）
図１は本発明が適用されるテレビジョン放送受信システムの構成を示す図である。
【００１１】
図１のシステムでは、３つの独立した画像ソースを１つのモニタに表示し、各画像ソースの入力機器例えば、マウスやキーボード、リモコン等をモニタに表示された画像データと連動して制御できるようにし、更に、各３つの画像ソースをモニタの所望の領域に最適なマッピング表示が実現できるようにしている。
【００１２】
これら画像ソースは、３つよりさらに多い数でも、また少ない数でも良い。
【００１３】
図１において、１はＩＳＤＢ対応ＤＴＶ受信部である。ここで、ＩＳＤＢに関しての簡単な説明をする。
【００１４】
ディジタル技術の発展に伴い、放送界でも放送信号を含めた各種情報をディジタル化したインタラクティブ形式の統合ディジタル放送システム（ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）システムという）が研究・開発されている。
【００１５】
具体的には、このＩＳＤＢシステムとは現行の放送信号（標準テレビジョン信号、ハイビジョン信号）を始めとして、ソフトウエアやファクシミリなどのデータ、さらには音声、文字、図形、画像などのマルチメディア情報をそれぞれディジタル化（符号化）し、それらを統合多重化した上で、伝送形態に合致した変調処理を施して送信するようにした放送システムのことである。
【００１６】
放送信号を含めた各種情報を統合多重化する場合、これらの情報を他に受信側での制御情報として使用する付加情報も同時に統合多重化されて送信することができる。統合化されたＩＳＤＢ用放送信号（ディジタル信号）は、地上波、衛星波、光ケーブルなどを利用して送信される。受信端末側では、統合化されたＩＳＤＢ用放送信号を受信して目的の信号を弁別することによってそれをモニタに表示させて通常のテレビ放送として楽しむことができることは勿論、記録手段を用いて記録（保存）したり、他の端末に転送したりすることができる。さらに受信した付加情報を利用すれば、モニタ制御、記録制御さらにはモニタされた画像に対する加工制御など、ユーザの好みに応じて受信情報を利用できることになる。つまり、対話形式（インタラクティブ）の放送システムを構築できる。
【００１７】
次に、ＤＴＶ受信部１内の構成ブロックについて説明する。２はチューナー部で、統合化されたＩＳＤＢ用放送信号（ディジタル信号）をアンテナＡを介して地上波、衛星波から受信し、帯域フィルタ、ダウンコンバータなどを通過させた後、復調部３へ出力する。復調部３では、伝送形態に合致した復調処理を施すと共に、誤り訂正処理などを行い、所望のＭＰＥＧ２トランスポートストリームを、多重化分離部４に出力する。多重化分離部４は、このＭＰＥＧ２トランスポートストリームから所望のプログラムのＭＰＥＧ２のビデオデータ、ＭＰＥＧ２のオーディオデータと付加情報とを分離する。
【００１８】
分離されたＭＰＥＧ２のオーディオデータはオーディオ復号部５で復号され、オーディオ信号として出力される。これにアンプ、スピーカーを接続すれば受信した番組の音声を聞くことが出来る。また、分離されたＭＰＥＧ２のビデオデータは画像復号部６で復号され、ラスタースキャン形式の表示フォーマットに変換された後、放送画像として後段の動画入力部８ａに出力される。更に、分離されたＭＰＥＧ２の付加情報はデータ復号部７で復号され、マルチ画面制御部１０に出力される。
【００１９】
ここでの復号とはＭＨＥＧ−５やＨＴＭＬ、ＢＭＬなどのシナリオ記述言語で記述されたオブジェクトからマルチメディア情報サービス提供者のシナリオを得ることを意味する。このシナリオは構造化されたコンテンツの属性（大きさや位置、符号化方式）からなり、マルチ画面制御部１０がこれを解釈し、グラフィックアクセラレータ２１や画像復号化部６と連動し、ＩＳＤＢデータ放送画像を構成する。
【００２０】
２００はパソコン、ワークステーションなどのコンピュータ（ＰＣ）であり、ＰＣ１ｂから出力された動画像信号はアナログ信号またはデジタル信号のＲＧＢラスター形式の形で動画入力部８ｂに出力される。３００はＤＶＤプレイヤーであり、ＤＶＤビデオディスクより再生した動画像信号をアナログ信号またはデジタル信号のＹＵＶラスター形式の形で動画入力部８ｃに出力する。また、ＰＣ２００とＤＶＤプレイヤー３００はそれぞれ、ラインＬ２、Ｌ３により受信機１００と接続する。
【００２１】
８ａ、８ｂ、８ｃは、それぞれ受信部１、ＰＣ２００、ＤＶＤ３００から出力された画像データを受け取る動画入力部であり、入力部８ｂはＡ／Ｄコンバータや画像データをサンプリングするためのＰＬＬ（Ｐｈａｓｅ  Ｌｏｃｋｅｄ  Ｌｏｏｐ）や、ＬＶＤＳ（Ｌｏｗ  Ｖｏｌｔａｇｅ  Ｄｉｆｆｅｒｅｎｔｉａｌ  Ｓｉｇｎａｌｉｎｇ）等のディジタル信号復号器や差動のバッファを有する。また、入力部８ａ、８ｃは受信部１やＤＶＤ３００からのコンポジット信号をＹＵＶからＲＧＢ信号に変換する色変換回路や走査方式をインタレースからプログレッシブに変換するＩＰ変換回路などを有する。
【００２２】
各動画入力部８ａ、８ｂ、８ｃは各画像ソースから画像データと画像データを受け取るための制御信号例えば１ラインの同期を取る水平同期信号、１フレームもしくは１フィールドの同期を取る垂直同期信号、１画素をサンプルするクロック信号、有効画像データの転送期間を示すディスプレイイネーブル信号等も同時に受け取る。
【００２３】
各動画入力部８ａ、８ｂ、８ｃはおのおの独立したタイミングで画像ソースから画像データを受け取る。９ａ、９ｂ、９ｃは各動画入力部で受け取った画像データの表示フォーマット（表示ライン数やドット数、色数）をシステム制御部１０のの制御に従って変換する解像度変換部であり、また、本形態は独立した３つの画像データを１つの共通したグラフィックバス２２に入力するためのバスインタフェースの機能も有している。この各解像度変換部９ａ〜９ｃから出力される画像データはグラフィックバス２２を経由して、メモリ制御部１３の制御の下に、少なくても表示画像１面分、本形態例では表示画像４画面分の容量を持つメモリ部１４に格納される。
【００２４】
これと同時に、出力合成部１８はシステム制御部からのマルチウィンドウ管理指示に基づき、表示すべき入力画像のストアされているメモリアドレスをメモリ制御部１３に発行することにより、メモリ部１４から表示データを読み出し、最終的なマルチ画面合成を実現する。
【００２５】
出力変換部１５は表示デバイス１６のフレームレートに同期して、表示デバイス１６の特性に応じた表示駆動の制御、表示フォーマット変換を行う。１６は表示デバイスであり、デバイスはマトリクス電極構造を持つフラットパネル（液晶、プラズマ等）でも、ＣＲＴでも画像を表示するデバイスであれば良い。
【００２６】
本実施例では、テレビであればハイビジョン、ＰＣであればＳＸＧＡ以上の高精細画像を表示できる大画面ディスプレイをターゲットにしている。
【００２７】
グラフィックバス２２に対する非同期で起こるメモリへのアクセスはバス調停部１２により優先順位に基づいたスケーラブルな管理がされている。１０は本システム全体を制御するシステム制御部であり、演算能力を持つＣＰＵを内蔵し、データを一時格納するＲＡＭ２４、制御プログラムを格納するＲＯＭ１７、時間を計測するＲＴＣ（Ｒｅａｌ  Ｔｉｍｅ  Ｃｌｏｃｋ）２５、アプリケーションプログラムまたは映像データを記録するＨＤＤ（Ｈａｒｄ  Ｄｉｓｋ  Ｄｒｉｖｅ）２６を利用して制御動作を行う。
【００２８】
また、システム制御部１０は論理ロジックのみで構成されていても、これはＣＰＵや並列演算が可能なメディアプロセッサであってもよい。制御をおこなうプログラムはＲＯＭ１７に内蔵されていてもよいし、周辺入出力インタフェースを介して外部から転送されてもよい。また、ＲＯＭ１７には必要に応じて文字フォントなどが格納されており、ＷＷＷやデータ放送の文字情報を画面に展開するときに使用される。
【００２９】
また、システム制御部１０にはモデム制御部２０、リモコン制御部１９が接続され、モデム制御部２０を介してインターネットＮに接続し、また、リモコン制御部１９を介して赤外線を用いたリモコン２３のコマンドを受け付けることができる。図１１にリモコン２３の様子を示す。図１１において、８０は電源キー、８１はテンキー、８２はメニューキー、８３〜８７はそれぞれ方向キー、８７は選択キーである。
【００３０】
２１はグラフィックアクセラレータでシステム制御部１０がディスプレイ１６上にＯＳＤ（Ｏｎ  Ｓｃｒｅｅｎ  Ｄｉｓｐｌａｙ）画面や、ＥＰＧ（電子プログラムガイド）画面、ＩＳＤＢ画面などを生成する時に、描画命令とＢｉｔＢｌｔやＤＭＡなどのアクセラレーション機能を用いるときに使われる。
【００３１】
次に図２のフローチャートを用いて、ＴＶ放送を視聴中に電子メールが受信された場合の例について説明する。
【００３２】
図２はシステム制御部１０のメインプログラム実行中に、マルチウィンドウの割り込み指示があった場合のサブルーチンプログラムに従う動作を示すフローチャートである。
【００３３】
ここでは、例えば、土曜日の２２：３０に２１：００〜２３：００迄の２時間ものの映画番組を視聴しているものとし、２３：００からスポーツ番組が始まるものとする。電子メールはインターネットよりモデム制御部２０を通じてシステム制御部１０へ入力され、電子メールが着信すると割り込みを発生する。ＨＤＤ２５に格納されたメインプログラムは起動しており、割り込みが発生するとステップＳ１０へジャンプする。
【００３４】
ステップＳ１１にて、データ復号部７からのＥＰＧ情報に基づいて現在視聴している番組のジャンルを検出し、更に、図３のジャンル優先度（ジャンル＆視聴経過時間）テーブルを参照し、検出されたジャンルに従い現在視聴中の番組の優先度を求める。ここでは映画番組で７５％経過していることから、優先度“１０”を読み取る。図３のテーブル３０１は、番組のジャンル（ＥＰＧ情報に含まれる番組のジャンル情報）別に番組の累積視聴経過時間（何時間番組を何％視聴し続けているか）毎の優先度情報が書き込まれたテーブルであり、ＲＡＭ２４に記憶されている。また、ＥＰＧ情報とはテレビ放送中の各番組の内容を示す情報であり、例えば、放送時間やジャンル、出演者の情報などを含む。
【００３５】
ステップＳ１２では図４に示したソース優先度テーブル４０１を参照し、表示要求をしている情報の優先度を読み取る。ここでは電子メールなので、優先度は“５”となる。４０１は表示要求をしている情報のソースの優先度を示すテーブルで、ＲＡＭ２４に格納されている。
【００３６】
ステップＳ１３では、図５の時刻別視聴中映像優先度テーブル５０１を参照して現在の日時の優先度を求める。ここでは土曜日の２２：３０なので優先度“１０”を読み取る。図５は曜日毎に時間帯を区切り、各々の時間帯別に、現在視聴中の映像の優先度情報が書き込まれているテーブルであり、ＲＡＭ２４に格納されている。
【００３７】
ステップＳ１４では視聴中の番組のジャンル優先度と時刻別視聴中映像優先度を加算したものを現在視聴中番組の優先度とし、この優先度から新規に表示要求を行っている情報のソース優先度を減算して優先差分を求める。
【００３８】
ここでは、
優先差分＝（ジャンル優先度＋時刻別視聴中映像優先度）−ソース優先度
優先差分＝（１０＋１０）−５＝１５となる。
【００３９】
そして、この優先差分に基づいて図６の表示方法テーブル６０１を参照し、優先レベルを求める。ここでは優先差分＝１５であり、優先レベル１であるのでステップ１５へ分岐する。（図６に示すように、優先レベル１であるので“現視聴中映像のまま切り替えない”）。図６は優先差分と表示優先レベルとの対応を示すテーブルで、ＲＡＭ２４に格納されている。
【００４０】
ステップＳ１５にて優先度レベルが１から変化するレベル、つまり優先差分が１４以下となる時間をジャンル優先度テーブル３０１と時刻別視聴中映像優先度テーブル５０１とデータ復号部７からのＥＰＧ情報より求める。つまり現在視聴中の番組以降に始まる番組のジャンルをＥＰＧ情報から入手する。そして、開始時間の早い番組より順に該ジャンルの優先度情報をテーブル３０１から検出する。そして、その番組が始まる時間の時刻別視聴中映像優先度を加算した値から、新規に表示要求している情報のソース優先度を減算した値が１４以下となる番組の開始時間を求める。
【００４１】
ここでは、２３：００からスポーツ番組が始まるので、ジャンル優先度はテーブル３０１よりスポーツジャンルであり視聴経過時間は０−１０％であるので、ジャンル優先度“５”が求められる。
【００４２】
また、時刻別視聴中映像優先度は、土曜日・２３時であるので、テーブル５０１より優先度“３”が求められる。
【００４３】
よって２３時からスポーツ番組が始まると、優先差分＝（５＋３）−５＝３となるので、次の番組はテーブル６０１より優先レベル３である事が分かる。
【００４４】
そこで２３：００から現在時刻２２：３０を差し引いた３０分を内部カウンタにセットし、メインプログラムへ戻る。ここで、もし２３：００からの番組の優先レベルも１となった場合、更に次の番組について同様に優先レベルを求める。
【００４５】
もし２３：００以前にチャンネル変更がされた場合は、図７のフローチャートのステップＳ３０へジャンプし、ステップＳ３１にて現在視聴中と異なるチャンネルであれば、ステップＳ３２にてセットされたカウンタをクリアして、メインプログラムへ戻る。
【００４６】
チャンネル変更せずに視聴し続け、２３：００になってカウンタがカウントアップすると割り込みが入り、ステップＳ１０へジャンプする。前述と同様にＳ１１、Ｓ１２、Ｓ１３と進みステップＳ１４にては、優先レベル３が求められるのでステップＳ１８へ進み、更にステップＳ１９にてスポーツ番組とメールウィンドウをマルチウィンドウ化する。この時の表示面積比率は先に述べた優先差分に基づいて決定している。即ち、図８はマルチウィンドウ時の表示サイズを示すテーブルであり、ここでは、優先差分が“３”であるので、メイン画面のサイズ７５％、サブ画面のサイズ２５％と設定する。ここでメイン画面とは今まで視聴していた映像を表示する画面のことで、サブ画面とは新規に表示要求した情報を表示する画面のことであるので、現在視聴中映像は表示デバイス１６の表示サイズに対して縦／横サイズが各々７５％に縮小され、電子メールは縦／横共に表示デバイス１６の表示サイズの２５％の表示領域に表示される。図８のテーブル８０１もＲＡＭ２４に格納されている。
【００４７】
図９は前本形態における表示デバイス１６の表示画面を時系列的に表示したものである。図９において、ｔ０にて電子メールが着信したが、優先レベルが１であるためそのまま視聴中の番組映像のみを表示し、優先レベルが２以下に下がる番組の開始時間を計算し、内部カウンタをセットする。ｔｎにて視聴していた番組が終了し、ｔｎ＋１にて次の番組が開始され、内部カウンタからの割り込みにより次の番組との優先差が計算され優先レベルが３であることが求められるので、現在視聴中の番組の表示画面が縮小され電子メールの画面と共にマルチウィンドウにて表示される。この例では優先差分が“３”であるため、視聴中の番組の映像と電子メールの情報とはそれぞれ、縦／横サイズ共に表示デバイス１６の７５％、２５％の領域に表示されている。
【００４８】
もし、電子メールのメッセージが長く２５％の領域に表示しきれない場合は、リモコン２３の方向キー８５を押下する事により電子メールのメッセージが上方向にスクロールされるよう調整されており、行き過ぎた場合は方向キー８３を押下する事により戻すことが出来る。また電子メール画面の終了ボタン１６ａは、“保存して閉じる”と表示されており、表示中の電子メールを保存して電子メールウィンドウを閉じる事が出来る。電子メール画面の終了ボタン１６ｂは、“削除して閉じる”と表示されており、表示中の電子メールを削除して電子メールウィンドウを閉じるボタンである。
【００４９】
リモコン２３の右方向キー８４及び８６によってこれらのボタン１６ａ、１６ｂを選択し、選択キー８７を操作することで電子メールウィンドウを閉じることができる。終了ボタン１６ａが選択されている場合は電子メールを保存し、１６ｂが選択されている場合は電子メールを削除した後、図１０のフローチャートのＳ４０へジャンプし、ステップＳ４１にてマルチ画面表示かどうかを判断する。マルチ画面である場合はステップＳ４２にて終了要求のあった電子メールウィンドウを終了し、ステップＳ４３にてマルチウィンドウ移行前に表示していたウィンドウをフル画面、つまり表示デバイス１６の画面いっぱいに表示し、メインプログラムへ戻る。
【００５０】
図１２は、土曜日の１４：５０に１４：３０〜１５：００までの料理番組を視聴している時に、スケジューラからの新規表示要求があった場合の表示デバイス１６の表示画面の様子を示す図である。
【００５１】
後述のように、スケジューラは、１６：００からのイベントを７０分前に通知するよう設定されている。
【００５２】
ｔ０にて料理番組を視聴中に、スケジューラからの新規な映像表示要求が発生すると、図３のジャンル優先度テーブル３０１より料理番組で７５％視聴なのでジャンル優先度“２”が求められ、図５のテーブル５０１より時刻別視聴中映像優先度は、土曜日の１４：３０であるので時刻別視聴中映像優先度“５”が求められ、図４のテーブル４０１よりソース優先度はスケジューラなのでソース優先度“１０”が求められる。よって優先差分は、
優先差分＝（ジャンル優先度＋時刻別視聴中映像優先度）−映像ソース別優先度つまり優先差分＝２＋５−１０＝−３となる。
【００５３】
優先差分が−３なので図６のテーブル６０１より優先レベル３の“マルチウィンドウに切り替える”が選択され、また図８の表示サイズテーブル８０１よりマルチウィンドウ表示の際、メイン画面のサイズ２０％、サブ画面のサイズ８０％と決定する。
【００５４】
よって、ｔ１にて現在視聴中の番組の映像は縦／横サイズが各々２０％に縮小され、スケジューラからの通知映像は縦／横共に画面の８０％の領域を用いて表示を行う。
【００５５】
なお、スケジューラからの通知画面には画面を閉じるボタン１６ｃが設けられており、リモコン２３の選択キー８７を押下する事によりスケジューラからの通知画面を終了し、これまで視聴していた料理番組をフル画面で表示する。
【００５６】
また図１３は、月曜日の１５：５５に１５：００〜１６：００までのドラマ番組を視聴している時に、電子メールが着信した場合の画面例であり、次の番組はアニメーションである時の例である。
【００５７】
ドラマ番組を９０％視聴中なので、図３のテーブル３０１よりジャンル優先度“１０”、表示要求の情報が電子メールなのでソース優先度は図４のテーブル４０１より“５”、時刻別視聴中映像優先度は、月曜日・１５：５０なので図５のテーブル５０１より“１”が求まる。
優先差分＝（ジャンル優先度＋時刻別視聴中映像優先度）−映像ソース別優先度であるので、優先差分＝（１０＋１）−５＝６となる。
【００５８】
優先差分６なので図６のテーブル６０１より優先レベル２の“アイコンを表示する”が選択される。
【００５９】
よってｔ１にてメールが着信していることを示すアイコン１６ｄを表示する。ｔ２においてはアイコン１６ｄを消去、そして、ｔ３以降、アイコン１６ｄの表示／非表示を所定時間おきに交互に行いメールが着信していることを通知する。ｔｎにて番組が終了し、アニメーション番組が始まると
優先差分＝（３＋１）−５＝−１となる。
【００６０】
優先差分が−１であるので優先レベル１の“マルチウィンドウに切り替える”が選択され、各々の画面の表示サイズは、図８のテーブル８０１よりメイン画面が４０％、サブ画面が６０％となるので、ｔｎ＋１に示すように各々のサイズの画面が表示される。
【００６１】
本形態ではリモコン２３のメニューキー８２でメニュー画面を表示させた後、このメニュー画面を使って図３〜図６に示した各テーブルの優先度、優先レベルの値をユーザが任意に設定できる。
【００６２】
図１４はメニューキー８２が操作された際に表示デバイス１６に表示されるメインメニューである。“１．定時刻受信”１６ａａは定時刻視聴を行いたい時のメニューであり、リモコン２３の方向キー８４または８６及び選択キー８７により、“新規”設定または予約の“変更”を選択することが出来る。
【００６３】
図１４の“２．スケジューラ”１６ａｂはスケジューラ管理を行いたい場合のメニューであり、リモコン２３の方向キー８４または８６により、“新規”設定または予約の“変更”を選択することが出来る。ここで“変更”を選択した場合は、図１５のスケジューラ画面が表示され、リモコン２３を操作して名前選択ボタン１６ｂａを決定することで表示したい人の名前を選択し表示させる。
【００６４】
図１５の例ではＡＡさんの１日のスケジュールを表しており、時刻別に通知内容・アラーム時間等の設定が出来るようになっている。入力方法は、キーボードやマウス等の操作入力部１２６により設定しても良いしまたリモコン２３により例文などから選択する方法でも良い。
【００６５】
曜日ボタン１６ｂｆは、曜日を表示しているが、ここでリモコンの選択キー８７が押下されると、図５のテーブル５０１に示す休日・特別を選択することが出来、例えば月曜日であっても特別を選択すると“特別月曜日”と設定され、時刻別視聴優先度は“特別”が用いられる。
【００６６】
修正が完了したら更新ボタン１６ｂｈまでリモコンの方向キー８３、８５、８６、８４を用いてカーソルを移動し、選択キー８７を押下する事によりスケジュールの更新が行われる。
【００６７】
図１４の“３．電子メールボタン”１６ａｃは、電子メールの送信／受信を行うためのボタン、“４．Ｉ／Ｏ制御ボタン”１６ａｄは、Ｉ／Ｏポートに接続される機器を設定するためのボタンである。
【００６８】
図１４の“５．ウィンドウ切換ボタン”１６ａｅは、マルチウィンドウの切換条件を設定するためのボタンであり、映像ジャンルの設定、時間帯の設定、映像ソースの設定、表示形式の設定をリモコンの各ボタンを方向キー８３、８５、８６、８４を用いて移動し、選択キー８７を押下する事により選択することが出来る。
【００６９】
例えば映像ジャンルの設定１４０１が選択されると、システム制御部１０２より、ＲＡＭ２４より図３に示すテーブル３０１が読み出されて表示デバイス１６に表示され、ユーザの好みに応じてジャンル別の優先度を設定し直すことが出来る。
【００７０】
また、時間帯の設定１４０２が選択されると、図５に示すテーブル５０１がＲＡＭ２４より読み出されて表示され、ユーザの好みに応じて視聴している時間帯毎に、現在視聴している映像の優先度を設定し直すことが出来る。
【００７１】
映像ソースの設定１４０３が選択されると、図４に示すテーブル４０１がＲＡＭ２４より読み出されて表示され、ユーザの好みに応じて新規に表示要求している映像ソース毎に、優先度を設定し直すことが出来る。
【００７２】
表示形式の設定１４０４が選択されると、図６に示すテーブル６０１がＲＡＭ２４より読み出されて表示され、ユーザの好みに応じて優先差分に応じた表示形式を、設定し直すことが出来る。
【００７３】
図１６はその設定変更画面を示したものであり、ハイライト部が選択されている部分であり、リモコン２３の方向キー８３、８４により選択部分が上下方向に移動し、方向キー８４により優先差分の数値が増加し、方向キー８６により減少するようになっている。
【００７４】
以上述べてきたように本形態では、映像ジャンルの優先度・映像ソースの優先度・時刻別視聴映像優先度を用いて、新たな映像の表示要求に対する表示画面の切りかえを制御しているので、割り込みで表示要求があった場合にも、ユーザにとって快適な表示画面を提供できる。
【００７５】
なお、現在視聴中の映像の優先度と、新たに表示が要求された情報との優先差分が大きく即座にマルチウィンドウ化しない場合は、現在視聴中の番組が終了次第優先差に無関係にマルチウィンドウに移行してもよい。
【００７６】
また、予め設定された優先度が低い映像を視聴中であっても、一時的に視聴中の映像の優先度を高める強制優先レベル１ＳＷをリモコンまたは操作部等に配し、現視聴中の映像を最優先とさせてもよい。
【００７７】
（第２の実施形態）
前述の実施形態では、現在画面上に単一の映像ソースに基づく映像を表示している時に新たな表示要求があった場合の処理について述べてきたが、複数の映像ソースに基づく映像をマルチウィンドウで表示中に、更なる新規の表示要求が発生した場合でも同様である。
【００７８】
例えば、２画面モードでＡチャンネルとＢチャンネルを視聴中に、スケジューラからの表示要求が発生した場合は、表示中のＡ、Ｂチャンネルの映像と新たに表示要求された情報との優先差分を個別に求める。
【００７９】
この求められた２つの優先レベルが異なる場合は、低い方の優先レベルが４であれば該視聴中の映像を消去し、スケジューラからの表示要求映像を表示する。
【００８０】
低い方の優先レベルが３であれば該視聴中の映像を縮小し、スケジューラからの表示要求映像も表示する。
【００８１】
低い方の優先レベルが２であれば、スケジューラからの表示要求があることを示すアイコンを表示する。
【００８２】
また、求められた２つの優先レベルが同一である場合で、優先レベルが４同志である場合は、視聴中の両方の映像を消去し、スケジューラからの表示要求映像を表示する。
【００８３】
優先レベルが３同志である場合は、視聴中の両方の映像を縮小し、スケジューラからの表示要求映像も表示する。
【００８４】
優先レベルが２同志である場合は、スケジューラからの表示要求があることを示すアイコンを表示する。
【００８５】
優先レベルが１同志である場合は、視聴中のどちらかの番組の映像の優先レベルが２以下に下がるまで、スケジューラからの表示要求が保留される。
【００８６】
（他の実施形態）
前述の実施形態では、放送されている映像の視聴中に電子メールまたはスケジューラからのイベント通知または定時刻受信または通信回線からの表示要求があった場合の処理について述べてきたが、ＨＤＤ２５に録画する場合に映像のジャンル及び録画時間を含むＥＰＧ情報も併せて記録する事によって、録画された番組を視聴中であっても、再生中の映像信号に係るＥＰＧ情報を用いて映像ジャンルの優先度・映像ソースの優先度・時刻別視聴映像優先度を求め、新たな映像の表示要求に対する表示画面の制御を行うことが出来る。
【００８７】
また記録媒体は、ＨＤＤに限定するものではなくＤＶＤまたはレーザディスクなどであっても映像ソースのジャンル及び録画時間が記録されている媒体であれば上記同様に制御が可能である。
【００８８】
なお、前述の実施形態ではシステム制御回路１０によるウィンドウの制御をＣＰＵを用いたソフトウェア処理にて実現しているが、この場合、前記ソフトウェアのプログラムコード自体が前述した実施の形態の機能を実現することになり、そのプログラムコード自体、およびそのプログラムコードをコンピュータに供給するための手段、例えばこのようなプログラムコードを格納した記憶媒体は本発明を構成する。このようなプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００８９】
また、コンピュータが供給されたプログラムコードを実行することにより、上述の実施の形態で説明機能が実現されるだけでなく、そのプログラムコードがコンピュータにおいて稼働しているＯＳ（オペレーティングシステム）或いは他のアプリケーションソフト等の共同して上述の実施の形態で示した機能が実現される場合にもかかるプログラムコードは本発明の実施形態に含まれる。
【００９０】
更に、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【００９１】
【発明の効果】
以上述べたように、本発明によれば、受信されるテレビジョン信号中の番組情報に従って表示画面の切り替え制御を行うことにより、ユーザにとってより快適な表示画面を提供することが可能となる。
【図面の簡単な説明】
【図１】本発明が適用されるテレビジョン受信システムの構成を示すブロック図である。
【図２】図１のシステムによる表示制御動作を説明するためのフローチャートである。
【図３】図１のシステムにて用いるジャンル優先度テーブルを示す図である。
【図４】図１のシステムにて用いるソース優先度テーブルを示す図である。
【図５】図１のシステムにて用いる時刻別視聴中映像優先度テーブルを示す図である。
【図６】図１のシステムにて用いる表示方法テーブルを示す図である。
【図７】図１のシステムによる表示制御動作を説明するためのフローチャートである。
【図８】図１のシステムにて用いる表示サイズテーブルを示す図である。
【図９】図１のシステムによる表示画面の様子を示す図である。
【図１０】図１のシステムによる表示制御動作を説明するためのフローチャートである。
【図１１】図１のシステムにおけるリモコンの様子を示す図である。
【図１２】図１のシステムによる他の表示画面の様子を示す図である。
【図１３】図１のシステムによる更に他の表示画面を示す図である。
【図１４】図１のシステムによるメインメニュー画面を示す図である。
【図１５】スケジュール設定画面を示す図である。
【図１６】ウィンドウ表示形式の設定画面を示す図である。
【図１】
0004428877.tif 000002
【図２】
0004428877.tif 000003
【図３】
0004428877.tif 000004
【図４】
0004428877.tif 000005
【図５】
0004428877.tif 000006
【図６】
0004428877.tif 000007
【図７】
0004428877.tif 000008
【図８】
0004428877.tif 000009
【図９】
0004428877.tif 000010
【図１０】
0004428877.tif 000011
【図１１】
0004428877.tif 000012
【図１２】
0004428877.tif 000013
【図１３】
0004428877.tif 000014
【図１４】
0004428877.tif 000015
【図１５】
0004428877.tif 000016
【図１６】
0004428877.tif 000017